(57)【要約】【課題】  タッチパネルを利用することにより、機構的な通話ボタンを廃止すると共に居住者などの使用者にとって使い勝手の良いインターホン機能の実現を図ったテレビインターホンシステムを提供する。【解決手段】  居室親機は、モニタ画面７ａ全体を覆うタッチパネル２２を有し、親機ＣＰＵは、カメラからの映像出画に付加して、録画操作ボタン３１、音量調整ボタン３２、電気錠解錠ボタン３３等のインターホン機能操作を行うための機能画像Ｍ２、及び機能画像Ｍ２以外のモニタ画面７ａが通話路形成操作部であることを居住者へ視認させるためのメッセージ画像Ｍ１をモニタ画面７ａに出画させた。機能画像Ｍ２をモニタ画面７ａ周縁部に配置し、他の全域を通話ボタン領域とした。【選択図】  図３
2006222680.tif 000002
【特許請求の範囲】
【請求項１】
来訪者を撮像するカメラ及び来訪者が居住者を呼び出すための呼出ボタンを有する少なくとも１台の玄関子機と、前記カメラの撮像映像を出画するモニタ及び前記玄関子機からの呼び出しに応答する応答手段を有する少なくとも１台の居室親機とを備えたテレビインターホンシステムにおいて、
前記居室親機は、前記モニタの画面全体を覆うタッチパネルと、前記玄関子機からの呼び出しを受けた際に前記モニタ画面全体を通話路形成操作部とするタッチパネルコントローラと、前記カメラからの映像に、通話路形成操作部であることを居住者へ視認させるためのメッセージ画像を付加して前記モニタに出画させる操作画面設定手段とを備えたことを特徴とするテレビインターホンシステム。
【請求項２】
来訪者を撮像するカメラ及び来訪者が居住者を呼び出すための呼出ボタンを有する少なくとも１台の玄関子機と、前記カメラの撮像映像を出画するモニタ及び前記玄関子機からの呼び出しに応答する応答手段を有する少なくとも１台の居室親機とを備えたテレビインターホンシステムにおいて、
前記居室親機は、前記モニタの画面全体を覆うタッチパネルと、前記タッチパネルを制御するタッチパネルコントローラと、前記玄関子機の呼び出しを受けて前記カメラからの映像出画に付加して、録画操作、音量調整操作、解錠操作、転送操作等のインターホン機能操作を行うための機能画像、及び前記モニタが通話路形成操作部であることを居住者へ視認させるためのメッセージ画像を出画させるための操作画面設定手段とを有し、
前記タッチパネルコントローラは、前記インターホン機能操作を実行すると共に、前記モニタ画面の前記機能画像以外の領域を前記通話路形成操作部として実行することを特徴とするテレビインターホンシステム。
【請求項３】
前記操作画面設定手段は、前記メッセージ画像を点滅して表示することを特徴とする請求項１または請求項２記載のテレビインターホンシステム。
【請求項４】
前記操作画面設定手段は、前記機能画像を前記モニタの画面周縁部に配置して表示することを特徴とする請求項２又は３に記載のテレビインターホンシステム。
【請求項５】
前記玄関子機が複数及び／又は前記居室親機が複数である場合にあっては、前記操作画面設定手段は、前記玄関子機又は前記居室親機からの呼出時には、呼出元情報を示す呼出元情報画像を付加して出画し、応答操作した場合には通話先情報を示す応答先情報画像を付加して出画することを特徴とする請求項２乃至４の何れかに記載のテレビインターホンシステム。
【発明の詳細な説明】
【技術分野】
【０００１】
本発明は、テレビインターホンシステムに関し、特に居室親機の操作性の改善を図ったテレビインターホンシステムに関する。
【背景技術】
【０００２】
玄関子機からの呼び出しに対してハンズフリーによる応答操作を可能とした従来のテレビインターホンシステムは、応答する際の操作性を考慮して居室親機には大型の通話ボタンが設けられ、呼び出しがあると来訪者の映像がモニタに映し出され、居住者はその画面で来訪者を確認しながら通話ボタンを押下することで通話路が形成され、通話を実施していた（例えば、特許文献１参照）。
一方で、居室親機のモニタにタッチパネルを組み付けて、モニタをタッチ操作することでモニタ画面操作を可能としたものがある（例えば、特許文献２参照）。
【特許文献１】特開平７−１４７６７６号公報
【特許文献２】特開２００２−２９０５７９号公報
【発明の開示】
【発明が解決しようとする課題】
【０００３】
しかしながら、特許文献１に開示されているような従来のテレビインターホンシステムは、操作性を考慮して大型の通話ボタンが設けられているため、ハンズフリー操作が容易であるが、逆にモニタ画面が制約を受けて大きな画面とすることができなかった。また、通話ボタンは機械式であるため機能の増加に比例して部品点数が増加し、機器の構成が複雑となった。
そこで、特許文献２に記載されているように居室親機のモニタをタッチパネルとした場合、タッチパネル上に通話ボタンを配置する構成が考えられるが、インターホンの場合、画面が小さく、来訪者の映像を邪魔しないように通話ボタン、更には他の操作ボタンを表示させるには表示ボタン自体が小さくなってしまい、視認性や操作性を良好にするのが難しい。
【０００４】
本発明はこのような問題点に鑑みなされたもので、タッチパネルを利用することにより、機構的な通話ボタンを廃止すると共に、居住者などの使用者にとって使い勝手の良いインターホン機能の実現を図ったテレビインターホンシステムを提供することを目的とする。
【課題を解決するための手段】
【０００５】
上記課題を解決する為に、請求項１に記載の発明は、来訪者を撮像するカメラ及び来訪者が居住者を呼び出すための呼出ボタンを有する少なくとも１台の玄関子機と、カメラの撮像映像を出画するモニタ及び玄関子機からの呼び出しに応答する応答手段を有する少なくとも１台の居室親機とを備えたテレビインターホンシステムにおいて、居室親機は、モニタの画面全体を覆うタッチパネルと、玄関子機からの呼び出しを受けた際にモニタ画面全体を通話路形成操作部とするタッチパネルコントローラと、カメラからの映像に、通話路形成操作部であることを居住者へ視認させるためのメッセージ画像を付加してモニタに出画させる操作画面設定手段とを備えたことを特徴とする。
この構成により、モニタ画面全体が通話路形成操作部になるので、あたかもモニタ画面全体が通話ボタンとなり、大きな通話ボタンを設けなくても通話操作がし易い。また、画面が通話路形成操作部であることを表示するので、居住者は確実にそれを認識でき使い勝手が良い。更に、タッチパネルコントローラはタッチのみ検出すれば良く、座標を検出する必要が無いので素早い応答ができる。
【０００６】
請求項２の発明は、来訪者を撮像するカメラ及び来訪者が居住者を呼び出すための呼出ボタンを有する少なくとも１台の玄関子機と、カメラの撮像映像を出画するモニタ及び玄関子機からの呼び出しに応答する応答手段を有する少なくとも１台の居室親機とを備えたテレビインターホンシステムにおいて、居室親機は、モニタの画面全体を覆うタッチパネルと、タッチパネルを制御するタッチパネルコントローラと、玄関子機の呼び出しを受けてカメラからの映像出画に付加して、録画操作、音量調整操作、解錠操作、転送操作等のインターホン機能操作を行うための機能画像、及びモニタが通話路形成操作部であることを居住者へ視認させるためのメッセージ画像を出画させるための操作画面設定手段とを有し、タッチパネルコントローラは、インターホン機能操作を実行すると共に、モニタ画面の機能画像以外の領域を通話路形成操作部として実行することを特徴とする。
この構成により、モニタ画面全体を通話路形成操作部にできるので、大きな通話ボタンを設けなくても通話操作がし易いし、画面が通話路形成操作部であることを表示するので、居住者は確実にそれを認識でき使い勝手が良い。また、通話路形成操作に加えて、録画操作、音量調整操作、解錠操作、転送操作等をタッチパネルで実施するので、別途操作ボタンを設ける必要が無く、モニタを大きくできるし、操作ボタンの為の部材が必要無くなる。
【０００７】
請求項３の発明は、請求項１又は２記載の発明において、操作画面設定手段は、メッセージ画像を点滅して表示することを特徴とする。
この構成により、来訪者映像と表示メッセージが重なってもカメラからの映像の視認性が劣化することがないし、表示メッセージも認識し易い。
【０００８】
請求項４の発明は、請求項２又は３に記載の発明において、操作画面設定手段は、機能画像をモニタの画面周縁部に配置して表示することを特徴とする。
この構成により、カメラからの映像の視認性が劣化することがない。
【０００９】
請求項５の発明は、請求項２乃至４の何れかに記載の発明において、玄関子機が複数及び／又は居室親機が複数である場合にあっては、操作画面設定手段は、玄関子機又は居室親機からの呼出時には、呼出元情報を示す呼出元情報画像を付加して出画し、応答操作した場合には通話先情報を示す応答先情報画像を付加して出画することを特徴とする。
この構成により、玄関子機が複数であったり居室親機が複数であっても、玄関子機又は他の居室親機からの呼出時に、何処からの呼び出しか、何処との通話か画面で認識でき、利便性が向上する。また、呼出元を表示する表示手段を別途設ける必要が無くなる。
【発明の効果】
【００１０】
このように本発明によれば、モニタ画面全体が通話路形成操作部になるので、通話操作がし易いし、画面が通話路形成操作部であることを表示するので、居住者は確実にそれを認識でき、使い勝手が良い。また、通話路形成操作に加えて、録画操作、音量調整操作、解錠操作、転送操作等をタッチパネルで実施することで、別途操作ボタンを設ける必要が無くなり、モニタを大きくできるし、操作ボタンの為の部材が必要無くなる。
【発明を実施するための最良の形態】
【００１１】
以下、本発明を具体化した実施の形態を、図面に基づいて詳細に説明する。図１は、本発明に係るテレビインターホンシステムの一例を示すシステム構成図であり、１は玄関子機、２は居室親機、３は増設親機を示し、居室親機２に２台の玄関子機１，１と１台の増設親機３が接続されている。尚、５は来訪者を撮像するためのカメラ、６は来訪者が居住者を呼び出すための呼出ボタン、７はカメラ５の撮像映像を出画するモニタである。
【００１２】
図２は図１の玄関子機１と居室親機２の回路ブロック図を示し、玄関子機１は、カメラ５、呼出ボタン６に加え、撮像映像信号を変調等する映像処理回路１１、マイク１２ａおよびスピーカ１２ｂ、通話回路１３、玄関子機１を制御する子機ＣＰＵ１４、子機ＩＦ（子機インターフェイス）１５とから構成されている。
【００１３】
また、居室親機２は、モニタ７に加え、送られてきた映像信号の復調操作等行う映像処理回路２１、モニタ７の画面全体に組み付けられたタッチパネル２２、応答手段２３を構成するマイク２３ａ及びスピーカ２３ｂ、通話回路２４、居室親機２を制御する親機ＣＰＵ２５、親機ＩＦ（親機インターフェイス）２６、音量調整や画像調整をするための操作ボタン２７、タッチパネル２２を制御するタッチパネルコントローラ２８とから構成されている。そして、タッチパネル２２の操作で通話操作を始め、転送操作や玄関モニタ操作等のインターホンとしての操作が可能に構成されている。尚、増設親機３は居室親機２と同様の回路構成となっている。
【００１４】
このように構成されたテレビインターホンシステムの動作を、図３に示すモニタ７の画面７ａの出画画像説明図を基に、以下説明する。但し、図３において、（ａ）は呼び出しがなされた時の状態、（ｂ）は通話路が形成された状態、（ｃ）は転送中の状態、（ｄ）は音量が操作された状態を示している。
まず、来訪者が一方の玄関子機１（以下、第１子機とする）の呼出ボタン６を押下して居住者を呼び出すと、呼出信号が子機ＣＰＵ１４、子機ＩＦ１５を介して居室親機２へ送信される。居室親機２は、親機ＩＦ２６を介して親機ＣＰＵ２５にて呼出信号が検出されると、スピーカ２３ｂが報音動作して呼び出しが行われる。同時に、居室親機２の図示しない電源回路から第１子機１のカメラ５を起動させるための電源供給が開始され、カメラ５が撮像を開始する。こうしてカメラ５で撮像された映像は、第１子機１の映像処理回路１１、子機ＩＦ１５を介して居室親機２へ送信され、親機ＩＦ２６を介して居室親機２の映像処理回路２１にて受信される。
尚、玄関子機（第１子機）１からの呼出信号は増設親機３にも伝送され、増設親機３でも呼び出しが行われる。この場合、増設親機３の表示や動作については居室親機２と同様であるので説明は省略する。
【００１５】
居室親機２の映像処理回路２１でカメラ５の撮像映像を受信したら、親機ＣＰＵ２５は、受信した映像信号にモニタ画面７ａ上に形成されたタッチパネル２２が通話路形成操作部であることを居住者へ視認させるためのメッセージ「画面に触れると通話できます」から成るメッセージ画像Ｍ１をモニタ７に出画させる。また、同時に録画操作、音量調整操作、解錠操作、転送操作等のインターホン機能操作を行うための機能画像Ｍ２、更に呼出元情報画像Ｍ３として「玄関１」の表示を付加する制御を行い、図３（ａ）に示すように、カメラ撮像映像に各種画像を付加してモニタ７に出画させる。
このとき、メッセージ画像Ｍ１は、画面中央の居住者が視認しやすい位置に表示され、且つ点滅して表示される。また、機能画像Ｍ２は、モニタ画面７ａの画面周縁部に配置して表示され、呼出元情報画像Ｍ３はモニタ画面７ａの左上に表示される。
【００１６】
この場合、モニタ画面７ａの機能画像表示領域を除く全ての領域を通話路形成操作部とするようにタッチパネルコントローラ２８は動作する。また、親機ＣＰＵ２５は操作画面設定手段として作用し、モニタ画面７ａにメッセージ等を出画操作したり、インターホン機能操作をタッチパネル操作で行う際の操作ボタンを表示する。
尚、呼出元情報画像Ｍ３は、ここでは呼出操作をした第１子機を示す「子機１」と表示されるが、他方の玄関子機１（第２子機）からの呼び出しであれば「子機２」と表示される。また、図３（ａ）の機能画像Ｍ２を具体的に説明すると、３１は録画操作ボタン、３２は音量調整ボタン、３３は電気錠で構成される玄関錠（図示せず）の解錠ボタンであり、表示した部位をタッチ操作するとタッチパネルコントローラ２８がそれを検出し、親機ＣＰＵ２５の制御により、その表示ボタンに従った動作がなされる。また、呼出元情報画像Ｍ３は点滅させて表示しても良く、どこからの呼出であるのかを判断しやすくなる。
【００１７】
こうして出画されたモニタ画面７ａを見て、居住者は来訪者を確認することができると共に機能画像Ｍ２以外のどの部分をタッチ操作しても通話路が形成されることをメッセージ画像Ｍ１により認識でき、メッセージ画像に従ってモニタ画面７ａ上のタッチパネル２２を迷うことなくタッチ操作し、通話操作することで来訪者との通話が可能となる。
具体的には、タッチ操作が成されたらタッチパネルコントローラ２８は、そのタッチパネル２２の座標を把握し、予め記憶された機能画像Ｍ２の座標情報でないことを認識し、通話路形成操作部として操作されたことを親機ＣＰＵ２５に通知する。親機ＣＰＵ２５は、これに基づいて玄関子機１との通話路を形成し、玄関子機１のマイク１２ａ及びスピーカ１２ｂと、居室親機２のマイク２３ａ及びスピーカ２３ｂとの間で通話が可能となる。
【００１８】
そして、通話路が形成されると、図３（ｂ）に示すように、メッセージ画像Ｍ１と呼出元情報画像Ｍ３は消えて、代わりに通話先情報画像Ｍ４が表示され、ここでは「玄関１通話中」がモニタ画面７ａ左上に表示される。これは通常、点灯表示されており、呼出中との違いを居住者に認識させやすいようにしている。
【００１９】
また通話路が形成されると、モニタ画面７ａには転送ボタン３４と通話を終了する終了ボタン３５が機能画像Ｍ２として追加表示される。玄関子機１との通話を増設親機３に転送したい場合には、転送ボタン３４をタッチすることにより、増設親機３への転送が成され、図３（ｃ）に示すように、通話先情報画像Ｍ４に替わり転送中を示す転送中情報画像Ｍ４ａが「転送中」で表示される。また、保留中である第１子機が転送元情報画像Ｍ５として画面右上に「玄関１」が表示される。
尚、図３（ｃ）の３６，３７は、転送操作により新たに表示された機能画像Ｍ２であり、３６の「他世帯」は転送先を指定するボタン、３７の「戻る」は転送を止めるためのボタンを示している。
【００２０】
また、居室親機２は、カメラ５が動作していなくてもモニタ画面７ａに機能画像Ｍ２のみを出画して各種操作をタッチパネル２２を用いて実施可能であり、図４は各種設定を行うためのメニュー画面をモニタ画面７ａに表示した状態を示している。この画面は、例えば待受時の黒画面をタッチ操作することで出画され、このメニュー画面の所定の部位をタッチ操作すれば、夫々の詳細設定画面が表示され、設定、玄関モニタ、室内呼出等を行うことができる。
【００２１】
このように、モニタ画面全体を通話路形成操作部にできるので、大きな通話ボタンを設けなくても通話操作がし易いし、画面が通話路形成操作部であることを表示するので、居住者は確実にそれを認識できる。また、通話路形成操作に加えて、録画操作、音量調整操作、解錠操作、転送操作等をタッチパネルで実施できるので、別途操作ボタンを設ける必要が無く、モニタを大きくできるし、操作ボタンの為の部材が必要無くなる。
また、来訪者映像と表示メッセージが重なってもメッセージ画像は点滅するし、機能画像もモニタ画面周縁部に配置されるので、カメラからの映像の視認性が劣化することがないし、表示メッセージも認識し易い。
更に、呼出元情報や通話先情報を表示するので、玄関子機が複数であったり居室親機が複数であっても、玄関子機又は他の居室親機からの呼出時に、何処からの呼び出しか、何処との通話か画面で認識でき、利便性が向上する。また、呼出元を表示するＬＥＤ等の表示手段を別途設ける必要が無くなる。
【００２２】
尚、図３において、操作ボタン２７は音量や画像輝度を調整するための機構式のボタンであり、図３（ａ）の呼出時に表示されている音量ボタン３２をタッチした後に、操作ボタン２７を操作すれば受話音量の調節ができるようなっている。図３（ｄ）は音量調節後の表示を示し、音量を５レベルに設定した状態を示している。また、図３（ａ），（ｂ）のような映像を出画中に操作ボタン２７が操作されると、映像の輝度調整ができる。これは、限りあるモニタ７の大きさに対して頻繁に使用されない各種微調整をおこなうためのボタンを画面に表示すると表示されるボタン数が増大してしまうので、何を押せばいいのか、居住者自身が迷ってしまう虞があるので別途設けている。
【００２３】
また、上記実施形態は、玄関子機１から呼び出しがなされたら、カメラ撮像映像に重ねて機能画像Ｍ２を表示しているが、通話路が形成されるまで機能画像Ｍ２を表示しないようにしても良い。そうすれば、モニタ画面７ａ全体を通話ボタンに設定でき、モニタ画面７ａのどの部位をタッチしても確実に通話路を形成できるし、タッチパネルコントローラはタッチのみ検出すれば良く、座標を検出する必要が無いので素早い応答ができる。
更に、居室親機２に玄関子機１が２台、増設親機３が１台接続された構成を説明したが、玄関子機が１台であれば、呼出元情報の表示は単に「玄関」だけでよいし、居室親機が３台以上接続されている場合は、転送先を選択できるようにすればよい。
【図面の簡単な説明】
【００２４】
【図１】本発明に係るインターホンシステムの実施形態の一例を示す構成図である。
【図２】図１の玄関子機と居室親機の回路ブロック図である。
【図３】図１の居室親機のモニタ画面の画像説明図であり、（ａ）は呼び出しがなされた時の状態、（ｂ）は通話路が形成された状態、（ｃ）は転送中の状態、（ｄ）は音量が操作された状態を示している。
【図４】図１の居室親機のモニタ画面の画像説明図であり、各種設定を行うメニュー画面を示した状態を示している。
【符号の説明】
【００２５】
１・・玄関子機、２・・居室親機、３・・増設親機（居室親機）、５・・カメラ、６・・呼出ボタン、７・・モニタ、７ａ・・モニタ画面、２２・・タッチパネル、２３・・応答手段、２５・・親機ＣＰＵ（操作画面設定手段）、２８・・タッチパネルコントローラ、Ｍ１・・メッセージ画像、Ｍ２・・機能画像、Ｍ３・・呼出元情報画像、Ｍ４・・通話先情報画像。
【図１】
2006222680.tif 000003
【図２】
2006222680.tif 000004
【図３】
2006222680.tif 000005
【図４】
2006222680.tif 000006